(57)【要約】      （修正有） 【課題】介護や看病等に際しておむつを交換する際に用いるおむつの交換用移動台であって、おむつ交換時に使用する備品類を安全に保管できると共に交換したおむつをビニール袋等の袋体に密封して封入でき、かつダストボックス内に入れて安全に移動することができ、においが漏れることや細菌が飛散してしまう状態を防げる衛生的なおむつの交換用移動台を提供する。【解決手段】おむつ交換のための備品を収納するための引き出し部１０と、交換したおむつを収納するダストボックス６を有する引き出し部１１とを有し、キャスター３０により移動することができ、交換したおむつを入れた袋を封鎖するためのバッグシーラー２を有する。【選択図】図２
0003214877.tif 000002
【実用新案登録請求の範囲】
【請求項１】
おむつ交換のための備品を収納するための引き出し部と交換したおむつを収納するダストボックス６を有する引き出し部とを有し、キャスター３０により移動することのできるおむつの交換用の移動台１であって、
交換したおむつを入れた袋を封鎖するためのバッグシーラー２を交換用移動台に有することを特徴とするおむつの交換用移動台。
【請求項２】
おむつ交換のための備品を収納するための引き出し部にカギ２０を有することを特徴とする請求項1記載のおむつの交換用移動台。
【請求項３】
交換したおむつを収納するダストボックス６を有する引き出し部にカギ２０を有することを特徴とする請求項1記載のおむつの交換用移動台。
【請求項４】
複数のボックスを用い、一のボックスに任意の数の引き出し部を有し、該ボックスを連設してなることを特徴とする請求項1記載のおむつの交換用移動台。
【請求項５】
複数のボックス上部に上部棚１ｃを有し、該上部棚１ｃの立ち上がり部１ｄにバックシーラー２を配設することを特徴とする請求項４記載のおむつの交換用移動台。
【請求項６】
おむつの交換用移動台のおむつが介護用であることを特徴とする請求項１乃至５のいずれかに記載のおむつの交換用移動台。
【考案の詳細な説明】
【技術分野】
【０００１】
本考案は、介護等において交換すべきおむつ及びその他の付属品を運搬する移動台であっておむつ交換移動台に関する。
【背景技術】
【０００２】
特に介護施設において介護をするためにはおむつ交換は極めて大きな作業の一つである。
通常は交換すべきおむつを被介護者に元に介護者が所持しておむつを交換する。
従って交換すべき被介護者の装着していたおむつは交換時に汚物入れなどに入れて回収するものであって、この装着していたおむつに関しては汚物入れ等の袋に入れた後、回収しその後破棄するものである。
【０００３】
この場合この汚物入れに関しては例えば一つずつビニールの袋に入れて口部分を閉じてごみ箱などに破棄するものである。
特にこのおむつ交換に際しては一人ずつ交換し、それぞれの交換を終えた時点で袋につけて破棄するものであり、一人の交換に際しておむつ交換破棄という手順を踏むものであり、その作業には多大な時間がかかるものである。
従って、おむつ交換の便宜を図るためのおむつの交換用移動台が用いられている。
【０００４】
例えばおむつ換に際しておむつを移動可能としたラックは特開２００７−２８３０１１号(特許文献１)に明示されている。
従って介護場所等までおむつを運ぶことができる。  また、おむつ交換カートとして実用新案登録第３０６９５９３号(特許文献２)に示す構成がある。
これはおむつ交換のためのカットであってカートの前部に汚物品収納部とカートの後部に清潔品収納部を設け、両者を仕切り構成を有する。
【０００５】
次におむつ交換車に汚物入れを有しており、開閉自在の蓋を有する構成として特開２０００−１５９１１２号(特許文献３)が存在する。
さらにボックス上の収納手段を有するおむつ交換カートとして実用新案登録第３１１７３３３号(特許文献４)も存在する。
また特開２０１６−７３５６６号には汚物収納箱を有し、その上部にはスライダ板を有して、このスライド板を移動することにより汚物収納箱の上部を開けて中に汚物を入れることのできる構成が示されている。
【先行技術文献】
【特許文献】
【０００６】
【特許文献１】特開２００７−２８３０１１号
【特許文献２】実用新案登録第３０６９５９３号
【特許文献３】特開２０００−１５９１１２号
【特許文献４】実用新案登録第３１１７３３３号
【考案の概要】
【考案が解決しようとする課題】
【０００７】
この様に介護や看病等に際しておむつの交換を行うために移動台を用いるものは存在しており、例えば汚物を収納する汚物入れを有する移動台も前記に示したように各種存在する。
また、交換すべきおむつや他の各種道具を該台に配置しておく構成も存在している。
然るにまず交換すべきおむつや交換に際して用いられる各種道具を置いておく構成はすでに明示されているが、安全に運搬するための構成は示されていない。
【０００８】
即ち特に介護に際して介護者が介護に際して用いる例えばはさみ等の危険物がそのまま台に置かれてしまうものや簡単に引き出せる引き出しなどに入れられて、介護現場を移動するものとなる。
この場合介護者が安全性を確保し得ない場合もあり、何らかの安全対策が必要となる。
次におむつ交換に際して発生する汚物例えば交換したおむつに関しては汚物入れに入れるが、単に汚物入れに入れただけでは臭気の発生が避けられないものとなる。
【０００９】
更には汚物入れ内のみならず移動台自体に細菌が付着しやすくなり、作業時における衛生面での安全性の確保しきれなくなり、安全性に欠けることとなる。
従って汚物に関しての臭気の発生を防ぎ、さらには細菌の周囲への付着を極力防ぐことが必要となる。
従って介護に際しておむつやその他の必要な道具類を安全にはごことができ、さらには汚物の臭気や最近の周囲への付着や発生を防止させることのできるおむつの交換用移動台の提供が望まれるものである。
【課題を解決するための手段】
【００１０】
以上のように係る課題を見事に解決するため、請求項１に係る考案はおむつ交換のための備品を収納するための引き出し部と交換したおむつを収納するダストボックスを有する引き出し部とを有し、キャスターにより移動することのできるおむつの交換用の移動台であって、交換したおむつを入れた袋を封鎖するためのバッグシーラーを交換用移動台に有するおむつの交換用移動台からなり、係る考案によって前記課題を解決できる。
【００１１】
また請求項２に係る考案はおむつ交換のための備品を収納するための引き出し部にカギを有するおむつの交換用移動台であって係る構成であってもよい。
更に請求項３に係る考案は交換したおむつを収納するダストボックスを有する引き出し部にカギを有するおむつの交換用移動台からなり、係る考案を用いてもよい。
これらの他、請求項４に係る考案のように複数のボックスを用い、一のボックスに任意の数の引き出し部を有し、該ボックスを連設してなるおむつの交換用移動台であってもよい。
【００１２】
この場合請求項５に係る考案のように複数のボックス上部に上部棚を有し、該上部棚の立ち上がり部にバックシーラーを配設するおむつの交換用移動台を用いてもよい。
更に請求項６に係る考案はおむつ交換の必要性の極めて高い介護現場等で用いる介護用おむつの交換であって、おむつの交換用移動台のおむつが介護用であるものであってもよい。
【考案の効果】
【００１３】
以上のように構成したことから、まず請求項１に係る考案によって交換したおむつを袋に入れる際にバッグシーラーによって粘着テープで開口部を密封状態で封鎖できることとなる。
さらにこの汚物である交換としたおむつを封入した袋を交換用移動台の引き出し部内のダストボックス内に入れて廃棄場所まで移動することができる。
したがって、交換したおむつを密封して廃棄することができ、衛生的におむつ交換と交換したおむつの廃棄ができる。
【００１４】
このことは細菌等を周囲に蔓延させるようなことを防止でき衛生的であるばかりでなく臭気が周囲に漏れることを防止できる。
さらに請求項２に係る考案によっておむつ交換のための備品を収納するための引き出し部にカギを有することとなり、例えばはさみなどの危険物を引き出し部内に入れておむつ交換の場に赴いても、周囲の者が不用意に引き出しを開いてしまうことを防止できる。
特に介護を受ける者等が年配者等の場合など誤って引き出しを開けてしまうことも生じうるものであり、係る不測の事態を防止できる。
【００１５】
また請求項３に係る考案によって交換したおむつを収納するダストボックスを有する引き出し部にカギを有するものとなり、汚物である交換したおむつを入れたダストボックスの入った引き出し部を周囲の者が不用意に引き出しを開いてしまうことを防止できる。
特に介護を受ける者等が年配者等の場合など誤って引き出しを開けてしまうことも生じうるものであり、係る不測の事態を防止できる。
【００１６】
次に請求項４に係る考案によって任意の構成の引き出し部を有するボックスに設け、このボックスを複数使うことによりおむつの交換用移動台を構成できるものとなり、必要に応じて必要な構成のボックスを連設して交換用移動台を構成でき、それぞれに応じて適切な引き出し部を有するおむつ交換用移動台を形成できるものとなる。
【００１７】
さらに請求項５に係る考案によって複数のボックス上部に上部棚を有してこの上部棚の立ち上がり部にバックシーラーを配設できるものとなり、交換用移動台にバッグシーラーを配置することを可能とし、さらには使い勝手の良い位置にバッグシーラーを配置できるものとなる。
特に請求項６に係る考案によって、おむつ交換の必要性の高い介護用おむつに用いることができる。
【図面の簡単な説明】
【００１８】
【図１】本考案に係るおむつの交換用移動台の一例を示す図
【図２】本考案に係るおむつの交換用移動台の一例を示す図
【図３】本考案に係るおむつの交換用移動台のバッグシーラーの一例を示す図
【図４】本考案に係るおむつの交換用移動台の他の一例を示す図
【考案を実施するための形態】
【００１９】
図１は、本考案に係るおむつの交換用移動台の一例を示す図である。
まず、交換用移動台１には引き出し部１０、１１を有しており、複数の引き出しを有する。
この引き出し部１０、１１には必要な備品を入れる引き出し部１０と交換したおむつを入れるべきダストボックス６を有する引き出し部１１がある。
本図の引き出しの最下段には引き出し部１１の深さの深い引き出しを有しており、この引き出し部１１内には汚物入れであるダストボックス６を有しており、交換したおむつを入れる汚物入れを構成する。
【００２０】
更にこの引き出し部１０、１１にはカギ２０を有しており、引き出しの開閉をカギ２０によって制御できる。
即ち通常はカギ２０を用いて不用意に引き出し部１０、１１が引き出せされるのを防止でき、引き出し部１１内のダストボックス６である汚物入れ内に使用済みおむつを入れる際には引き出し部１１を引き出すことができる。
【００２１】
これにより施設内等でおむつ交換をする際や移動時に患者さんや施設内にいる例えばお年寄り等が誤って引き出し部１１を開き、汚物入れ内の汚物に触れてしまうような機会を生じさせることを防止できる。
従って衛生面での安全性を高められる。
更に他の引き出し部１０内には介護や看病等におけるおむつ交換等に際して用いられる各種備品を収納できる。
【００２２】
例えばタオルやティッシュ等の他ナイフやカッター等も介護に際して使用するものであり、介護或いは看護施設内でこれらのものを持ち運ぶことが必要となってしまうが、このようなものを例えば引き出し部１０内等に入れておくことができる。
また例えば引き出し部１０内に使用済みのおむつを収納するためのビニール袋等の樹脂製の袋を多数枚入れておき、この袋体に使用済みおむつを収納して、該袋の口を封鎖して、引き出し部１１内のダストボックス６に入れて汚物入れとして使用できる。
【００２３】
この際にも、同様に介護時や介護施設内或いは看護や看護施設内をこの交換用移動台１を移動して作業を行うが、引き出し１０内のナイフ等が不用意に患者さんやお年寄り等に触れないように引き出し部１０にカギ２０をかけられるものとし、危険物等を安全に保管することができるものである。
尚、交換用移動台１の左右側面部分にはかご状の物入れ４０を有し、収納量の拡大を図っている。
【００２４】
またこのような交換移動台１の底には移動可能とするキャスター部３０を有する。
次にこの交換移動台１の上部１ｄにはバッグシーラー２を有する。
このバッグシーラー２により使用済みおむつをビニール袋等の樹脂製袋に入れた状態で開口部を粘着テープで簡単に封鎖し、これをダストボックス６内に収納することができる。
従って、順次多数者に対して介護等をする場合に多数人に対しての介護即ち多数人に対して使用済みの多数のおむつを一つずつ袋に収納した上で、このバッグシーラー２によって粘着テープで封鎖したうえでダストボックス６内に入れておけるものとなる。
【００２５】
ビニール袋内の使用済みおむつは汚物であり、細菌の繁殖や便等のにおい等が生じるが、ビニール袋の開口部をバッグシーラー２によって粘着テープで封鎖すると使用済みおむつのにおいが外部に漏れることを防止できるとともに、使用済みおむつに発生する菌等が袋体に封入することができ、他のものに付着することを防止できる。
従って衛生的に極めて安全性の高い交換用移動台を提供できるものとなる。
このことは介護施設や看護施設或いは病院内等での施設内の衛生面を担保できるものとなると共に施設内や院内における細菌感染等を防止できるものとなる。
【００２６】
更にこのようにビニール袋内に封入してパッキングできると共に更にダストボックス６のある引き出し部１１もカギ２０をかけることができ、看護施設内等において年配者等が不用意に汚物に接してしまうようなことを極力防ぐことができる。
尚、本考案のおむつは、介護のみならず当然に看護用など各種のおむつが該当するものであり、これらのおむつ交換のための交換用移動台であり、成人を主たる目的とするが、乳幼児や子供用のおむつの交換用移動台であってもよく、当然にこれらの各種おむつの交換用に用いられる交換用移動台も含むものである。
【００２７】
図２は、図１のおむつの交換用移動台１の引き出しの最下段の引き出し部１１を開き、引き出し１１内にダストボックス６を有している状態の例を示す図である。
本図に示すように簡単に引き出し部１１を開いて引き出し内のダイスボックス６内に使用済みおむつを入れておくことができる。
特に本図には示していないが引き出し部１１にパッキング等を有して、引き出し部内部の臭い等が外部に漏れないものとするものであってもよい。
【００２８】
或いはダストボックス６にパッキングのある蓋を有するものであってもよい。
このダストボックス６を入れられる引き出し部１１を有していると共に該引き出し部１１のカギ２０によりダストボックス６が不用意に引き出されないものとできる。
特に施設内でお年寄りや患者さん等が不用意に開けてしまうことを防止できる。
【００２９】
図３は、本考案に係るおむつの交換用移動台のバッグシーラー２を示す図である。
このバッグシーラー２は、交換用移動台１の上部棚１ｃの立ち上がり部１ｄに配設しており、該バッグシーラー２によって袋体の開口部を粘着テープで封鎖することが簡単にできるものである。
尚、バッグシーラー２は一般に多用されているバッグシーラーを用いればよく、袋体等の開口部分を該バッグシーラー２によって粘着テープで封鎖できるものであればよい。
【００３０】
また、交換用移動台１の上部棚１ｃの立ち上がり部１ｄにはさらに取っ手用の孔１１ｄを有する。
従ってこの取っ手用の孔１１ｄを用いて介護用おむつの交換用移動台を手で任意方向に押し又は引くことを行い易くしている。
【００３１】
次に図４は、本考案に係るおむつの交換用移動台の他の一例を示す図である。
即ちこの交換用移動台１は上部ボックス1ａに３段の引き出し部１０を有し下部ボックス１ｂに二段の引き出し部１２を有しているものである。
従って、この引き出しは任意の構成を用いればよいものであり、必要に応じて必要な段数を有する引き出し部を有すればよい。
【００３２】
尚、上部ボックス１ａの引き出し部１０と下部ボックス１ｂの引き出し部１２に関しては例えば任意のボックスを２つ積み重ねて、それぞれに必要な段数の引き出し部を配置するものであってよく、この２段のボックスの上部にはバッグシーラー２を設置するための立ち上がり部１ｄを有する上部棚１ｃをこの２段のボックスの上に配置すればよい。
従ってこのようなボックスを任意につなげて、所望の引き出し構成を有する交換用移動台１を構成するものであってもよい。
このように構成すれば簡単に任意の引き出し構成を有する交換用移動台１を形成できる。
【符号の説明】
【００３３】
１      交換用移動台
１ａ    上部ボックス
１ｂ    下部ボックス
１ｃ    上部棚
１ｄ    立ち上がり部
１１ｄ  孔
１０    引き出し部
１１    引き出し部
１２    引き出し部
２      バッグシーラー
２０    カギ
３０    キャスター
４０    物入れ
６      ダストボックス
【図１】
0003214877.tif 000003
【図２】
0003214877.tif 000004
【図３】
0003214877.tif 000005
【図４】
0003214877.tif 000006